(57)【要約】【課題】ホタルの幼虫が育成する水を弱アルカリ性に維持し、かつ水の濾過が可能であるホタル育成設備の構成を提供すること。【解決手段】ホタルの幼虫が成長するための水貯留領域１と、幼虫が上陸後、蛹化、産卵、孵化とを行う陸上領域２とによって構成されるホタル育成設備において、当該水貯留領域１に、アルカリ金属の炭酸塩又はアルカリ土類金属の炭酸塩を含有している燒結土粒子４を敷設するか、又は水貯留領域１に対する流入経路１１に埋設することに基づき、水の弱アルカリ性の維持及び水の濾過を実現することができるホタル飼育設備。【選択図】          図３
2004248527.tif 000002
【特許請求の範囲】
【請求項１】
ホタルの幼虫が成長するための水貯留領域と、幼虫が上陸後、蛹化、産卵、孵化とを行う陸上領域とによって構成されるホタル育成設備において、当該水貯留領域に、アルカリ金属の炭酸塩又はアルカリ土類金属の炭酸塩を含有している燒結土粒子を敷設したことに基づくホタル飼育設備。
【請求項２】
ホタルの幼虫が成長するための水貯留領域と、幼虫が上陸後、蛹化、産卵、孵化とを行う陸上領域とによって構成されるホタル育成設備において、水貯留領域への水流入経路にアルカリ金属の炭酸塩又はアルカリ土類金属の炭酸塩を含有している燒結土粒子を埋設し、流入する水を前記燒結土粒子の埋設領域を通過させることに基づくホタル飼育設備。
【請求項３】
設備の周囲に網及び当該網を支える基材による仕切を設けたことを特徴とする請求項１、２記載のホタル飼育設備。
【請求項４】
燒結土粒子として、火山灰土を主成分としていることを特徴とする請求項１、２記載のホタル飼育設備。
【請求項５】
陸上領域において、アルカリ金属の炭酸塩又はアルカリ土類金属の炭酸塩を含有している燒結土粒子を敷設したことを特徴とする請求項１、２記載のホタル飼育設備。
【請求項６】
燒結土の粒子結合力が、１．０ｃｍの厚さにて、２．６ｋｇ重／ｃｍ２以上の圧力を加えた場合、粒子の結合が崩壊する程度である燒結土の粒子を陸上領域に敷設することを特徴とする請求項６記載のホタル飼育設備。
【請求項７】
燒結土粒子の下側に燻炭微粉末を敷設したことに基づく請求項７記載のホタル飼育設備。
【請求項８】
該基材によって流入経路を遮断し、該基材の外側、内側及び下側に燒結土粒子を埋設したことを特徴とする請求項２、３記載のホタル飼育設備。
【発明の詳細な説明】
【０００１】
【発明の属する技術分野】
本発明は、ホタルが幼虫から成虫に至るまでの飼育を行う設備に関するものである。
【０００２】
【従来の技術】
ホタルの幼虫が成長するための水貯留領域と、幼虫が上陸後、蛹化、産卵、孵化とを行う陸上領域とによって構成されるホタル育成設備においては、ホタルの幼虫が脱皮を繰り返しながら成長する水貯留領域の水質は、ホタルの成長環境を支配する要因である。
【０００３】
即ち、当該水貯留領域の水は、カワニナなどが生息するために必要な安定した弱アルカリ性であることを必要とすると共に、カワニナ及びその他の生物などの生息に伴って排泄されるアンモニア、亜硝酸などの有害物質が少ない状態であることが好ましい。
【０００４】
しかしながら、水を弱アルカリ性の状態にしながら、他方では有害物質を順次濾過するような素材を、水貯留領域において採用するホタル育成設備の構成はこれまで提唱されていない。
【０００５】
因みに、特開２００１−１７８３０９号公報においては、水貯留領域（水槽）において、砂礫層、フィルターによって水の濾過を行うも、水質を弱アルカリ性とする構成は提唱されていない。
【０００６】
【発明が解決しようとする課題】
本発明は、前記の如き従来技術の状況に鑑み、ホタル育成設備において、育成に使用する水を弱アルカリ性に維持すると共に、濾過機能をも発揮し得る素材を使用した構成を提供することを課題としている。
【０００７】
【課題を解決するための手段】
前記課題を解決するため、本発明の構成は、
（１）．ホタルの幼虫が成長するための水貯留領域と、幼虫が上陸後、蛹化、産卵、孵化とを行う陸上領域とによって構成されるホタル育成設備において、当該水貯留領域に、アルカリ金属の炭酸塩又はアルカリ土類金属の炭酸塩を含有している燒結土粒子を敷設したことに基づくホタル飼育設備、
（２）．ホタルの幼虫が成長するための水貯留領域と、幼虫が上陸後、蛹化、産卵、孵化とを行う陸上領域とによって構成されるホタル育成設備において、水貯留領域への水流入経路にアルカリ金属の炭酸塩又はアルカリ土類金属の炭酸塩を含有している燒結土粒子を埋設し、流入する水を前記燒結土粒子の埋設領域を通過させることに基づくホタル飼育設備、
からなる。
【０００８】
【発明の実施の形態】
通常、ホタル育成設備において使用される水貯留領域は、外部の水源から水が流入し、かつ貯留したうえで一定の循環が行われた後、外部に放流されることが多い。
【０００９】
即ち、単に貯留した水をポンプによって循環するだけでは、新鮮な水の鮮度を長期間にわたって維持することが困難であるが故に、前記流入及び放流が行われている。
【００１０】
図３（ａ）、（ｂ）に示すように、前記（１）の構成は、水貯留領域１において、アルカリ金属の炭酸塩又はアルカリ土類金属の炭酸塩を含有している燒結土粒子（以下「本発明粒子」と略称する。）４を敷設しており、前記（２）の構成では、水貯留領域１への流入経路１１に本４発明粒子を埋設し、これによって水１を強制的に本発明粒子４の埋設領域を通過させている。
【００１１】
前記（１）の構成では、本発明粒子４が水貯留領域１の底部に敷設することによって、アルカリ金属の炭酸塩又はアルカリ土類金属の炭酸塩の存在によって、水貯留領域１の水１０は弱アルカリ性の状態を維持することができると共に、水貯留領域１内においてポンプによって水１０を循環させることによって、底部に敷設されている本発明粒子４の敷設領域を通過することによって、水１０の濾過機能を発揮することができる。
【００１２】
前記（２）の構成では、水１０が本発明粒子４を通過する際、弱アルカリ性に変化させることができると共に、前記（１）の場合と同様の濾過機能が実施されることになる。
【００１３】
しかも、流入経路１１の水１０中に生息し、かつホタルの幼虫を餌食とする魚類、昆虫は、本発明粒子４の埋設領域を殆ど通過することができないことから、前記魚類、昆虫の侵入は防止されることが可能となる。
【００１４】
図３（ａ）においては、陸上領域２に隣接して観察領域２１が設けられているが、当該領域は必ずしも不可欠という訳ではない。
【００１５】
アルカリ金属の炭酸塩としては、炭酸カリウム（Ｋ２ＣＯ３）、炭酸ナトリウム（Ｎａ２ＣＯ３）が典型例として使用され、アルカリ土類金属の炭酸塩としては、炭酸カルシウム（Ｃａ２ＣＯ３）、炭酸マグネシウム（ＭｇＣＯ３）が典型例として使用される。
【００１６】
アルカリ金属の水酸化物（ＮａＯＨ、ＫＯＨなど）、アルカリ土類金属の水酸化物（Ｃａ（ＯＨ）２、Ｍｇ（ＯＨ）２など）を使用せずに、前記のような炭酸塩を使用するのは、水酸化物の場合には、速やかに水１０中に溶出し、かつ過度のアルカリ状態が生じ易いのに対し、炭酸塩の場合には、水１０中に流出する速度が緩慢であり、しかも、弱アルカリ性を維持するのに適当であることに由来している。
【００１７】
ホタルの幼虫が育成されるのに適切な弱アルカリ性とは、Ｐｈ値７．０〜７．４であるが、このような弱アルカリ性を実現するために必要は燒結土中における炭酸塩の相対量は、使用する燒結土の種類及び燒結土粒子が所定の期間内に濾過する水量によって左右され、一律に当該相対量を断定することができない。
但し、アルカリ金属炭酸塩の場合には、通常０．３〜１．６重量％の範囲内に設定する場合が多く、アルカリ土類金属炭酸塩の場合には、通常０．７〜３．８重量％の範囲内に設定する場合が多い。
但し、前記相対量は前記数値範囲に限定される訳ではない。
【００１８】
前記（１）及び（２）の構成に基づき、水貯留領域１の水が弱アルカリ性に維持されるため、カワニナなどの主たる幼虫の餌が繁殖し易いと共に、燒結土が多孔質であることに基づく濾過機能によって、カワニナなどの水中の微生物による排泄物から生ずるアンモニア、亜硝酸などを順次濾過吸収することが可能となる。
【００１９】
火山灰土は、燒結の結果多孔質となり、かつ比較的強固な燒結による結合が得られる点において、本発明の燒結土として使用するのに好適である。
【００２０】
本発明の設備においては、図３（ａ）に示すように、トンボ、カゲロウ、蚊などのホタルの幼虫を餌食とする昆虫の侵入を防ぐために、通水、通光性を有する網３１、及びコンクリート、プラスチック、レンガなどの当該網３１を支える基材３２による仕切３を設けることが好ましい。
【００２１】
以下実施例に即して説明する。
【００２２】
【実施例１】
実施例１においては、図１に示すように、陸上領域２において、本発明粒子４を敷設したことを特徴としている。
【００２３】
このように、陸上領域２において本発明粒子４を使用した場合には、成長したホタルの幼虫が潜土した場合に、燒結土粒子４による通気性を確保し得ると共に、水貯留領域１と接続させた場合には、毛細管現象によって適度の湿度をも維持することができ、蛹化、又は羽化するための床土として優れた能力を発揮することができる。
【００２４】
特に本発明粒子４の結合力が、植物の根が浸透し得る程度、具体的には１．０ｃｍの厚さにて２．６ｋｇ重／ｃｍ２以上の圧力を加えた場合、粒子の結合が崩壊する程度である燒結土４を陸上領域２に敷設した場合には、陸上植物の繁茂、特にホタルの幼虫が水貯留領域１から陸上領域２に上昇する際に利用することができる蘚９の繁茂に寄与することができる。
【００２５】
図１においては、本発明粒子４の下側に、燻炭の微粉末５を敷設しているが、このような微粉末は、上側の本発明粒子４に過剰な水分が含有された場合、当該水分を吸収し、ひいては本発明粒子４におけるカビの発生の防止に寄与することができる。
【００２６】
【実施例２】
実施例２は、図２に示すように、前記（２）の構成において、特に仕切３を設けることを前提としたうえで、仕切３を構成する基材３２によって水貯留領域１への流入経路１１を遮断し、該基材３２の内側及び外側、及び下側に燒結土粒子４を埋設したことを特徴としている。
【００２７】
前記（２）の構成において、仕切３を設けたとしても、水貯留領域１への流入経路１１の部位につき、仕切３を設けない場合には、当該流入経路１１を介して、ホタルを餌食としている昆虫が侵入する危険性を否定することができない。
【００２８】
しかるに、実施例２の場合には、仕切３の基材３２の両側において、前記（２）の構成を実現しているので、流入経路１１と仕切３との間に隙間が形成される余地がなく、前記昆虫の侵入に基づくホタルの幼虫に対する食害を十分防止することが可能となる。
【００２９】
【発明の効果】
このように、本発明においては、ホタルの幼虫が育成する水の弱アルカリ性の維持及び濾過作用を発揮し得ると共に、特に実施例１においては、陸上においてホタルの幼虫が孵化及び羽化する場合に適切な環境を提供し、更には実施例２においては、外部からホタルの幼虫を餌食としている昆虫の侵入及びこれによる食害を十分防止することが可能となる。
【００３０】
このように、本発明は、多面的な効果を有しており、その価値は絶大である。
【図面の簡単な説明】
【図１】実施例１の構成を示す側断面図である。
【図２】実施例２の構成を示す側断面図である（尚、矢印は、水の流動方向を示す。）。
【図３】本発明の基本構成を示しており、（ａ）は平面図であり、（ｂ）は水の流入経路、及び放流経路を含む側面図である（尚、矢印は、水の流動方向を示す。）。
【符号の説明】
１  水貯留領域
１０  水
１１  流入経路
１２  放流経路
１３  循環経路
２  陸上領域
２１  観察領域
３  仕切
３１  網
３２  基材
４  燒結土粒子
５  燻炭の微粉末
６  循環用ポンプ
７  プラスチックファイバーマット
８  循環用孔つきパイプ
９  蘚
【図１】
2004248527.tif 000003
【図２】
2004248527.tif 000004
【図３】
2004248527.tif 000005